(57)【要約】【課題】プリンタ組込用のディスティネーションプロファイルとして、トナーの使用量が４００％のパッチ情報を３００％に制限してカラーチャートを作成し、色変換テーブルを作成すれば、カラーマッチング精度の問題が残る。【解決手段】複数の色材の使用量の制限を考慮した画像データに基づきカラーチャートを作成し（Ｓ２）、そのカラーパッチを測色し（Ｓ３）、測色結果の色度値と、画像データとの関係に基づき、色変換情報を作成する（Ｓ４）。【選択図】　　図８
2004056271.tif 000002
【特許請求の範囲】
【請求項１】
複数の色材の使用量の制限を考慮した画像データに基づき、記録媒体上に色変換情報を作成するためのカラー画像を、画像形成部に形成させる形成手段と、
前記カラー画像を測色する測色手段と、
測色結果の色度値と、前記画像データとの関係に基づき、色変換情報を作成する作成手段とを有することを特徴とする画像処理装置。
【請求項２】
複数の色材の使用量の制限を考慮した画像データに基づき、記録媒体上に色変換情報を作成するためのカラー画像を、画像形成部に形成させる形成手段と、
前記カラー画像の測色結果を入力する入力手段と、
前記測色結果の色度値と、前記画像データとの関係に基づき、色変換情報を作成する作成手段とを有することを特徴とする画像処理装置。
【請求項３】
複数の色材の使用量の制限を考慮した画像データに基づき、記録媒体上に色変換情報を作成するためのカラー画像を、画像形成部に形成させる形成手段と、
外部機器に前記画像データを供給して、前記画像データと、前記カラー画像の測色結果の色度値との関係に基づく色変換情報を前記外部機器から受信する通信手段とを有することを特徴とする画像処理装置。
【請求項４】
さらに、画像データを色変換する色変換手段を有し、
前記色変換情報によって前記色変換手段の色変換テーブルを更新することを特徴とする請求項１から請求項３の何れかに記載された画像処理装置。
【請求項５】
前記色変換情報には、色度値を前記複数の色材の使用量に対応するデータに変換するテーブルが含まれることを特徴とする請求項１から請求項４の何れかに記載された画像処理装置。
【請求項６】
複数の色材の使用量の制限を考慮した画像データに基づき、記録媒体上に色変換情報を作成するためのカラー画像を、画像形成部に形成させ、
前記カラー画像を測色し、
測色結果の色度値と、前記画像データとの関係に基づき、色変換情報を作成することを特徴とする画像処理方法。
【請求項７】
複数の色材の使用量の制限を考慮した画像データに基づき、記録媒体上に色変換情報を作成するためのカラー画像を、画像形成部に形成させ、
前記カラー画像の測色結果を入力し、
前記測色結果の色度値と、前記画像データとの関係に基づき、色変換情報を作成することを特徴とする画像処理方法。
【請求項８】
複数の色材の使用量の制限を考慮した画像データに基づき、記録媒体上に色変換情報を作成するためのカラー画像を、画像形成部に形成させ、
外部機器に前記画像データを供給して、前記画像データと、前記カラー画像の測色結果の色度値との関係に基づく色変換情報を前記外部機器から受信することを特徴とする画像処理方法。
【請求項９】
画像処理装置を制御して、請求項６から請求項８の何れかに記載された画像処理を実行することを特徴とするプログラム。
【請求項１０】
請求項９に記載されたプログラムが記録されたことを特徴とする記録媒体。
【発明の詳細な説明】
【０００１】
【発明の属する技術分野】
本発明は画像処理装置およびその方法に関し、例えば、複数の色材を用いて画像を形成する画像処理に関する。
【０００２】
【従来の技術】
今日、電子写真方式のプリンタやカラー複写機が出力する画像の画質は飛躍的に向上し、オフセット印刷の画質に匹敵するまでに達した。これは帯電、現像、転写、定着およびクリーニングなどの画像形成プロセスの向上、さらに、トナーの彩度方向の色再現範囲を広げた結果によるものである。
【０００３】
一方、プリンタやカラー複写機をネットワークに接続して、マルチ機能プリンタ（ＭＦＰ：　Ｍｕｌｔｉ　Ｆｕｎｃｔｉｏｎ　Ｐｒｉｎｔｅｒ）として利用する傾向が強まった。このため、ネットワークを介して、様々なデバイスからプリンタやカラー複写機へ画像が入力されるようになり、それら画像の色を合わせることは困難な状態になった。このような不都合を解決するために、様々なカラーマネージメント手法が提案されている。その一つに、デファクトスタンダードになりつつある、ＩＣＣ　（Ｉｎｔｅｒｎａｔｉｏｎａｌ　Ｃｏｌｏｒ　Ｃｏｎｓｏｒｔｉｕｍ）プロファイルを使うカラーマネージメントシステム（ＣＭＳ）がある。
【０００４】
今日、ユーザが独自にプリンタのＩＣＣプロファイルを作成して、コンピュータ機器（ＰＣ）で色変換を行った画像をプリンタに出力させる、あるいは、作成したＩＣＣプロファイルをプリンタまたはＲＩＰ　（Ｒａｓｔｅｒ　Ｉｍａｇｅ　Ｐｒｏｃｅｓｓｏｒ）にダウンロードして色を合わせを行わせることが可能になり、ユーザがプロファイルを作成するためのソフトウェアおよび測色器が市販されている。従って、ある程度の知識があるユーザであれば、目的の色にカラーマッチングさせ得る環境が整いつつある。
【０００５】
また、本発明者が提案した、その装置内で完結するＩＣＣプロファイル作成機能を備える画像形成装置によれば、ユーザは、ＩＣＣプロファイルを作成せずに、容易にカラーマネージメント環境を整えることが可能になる。
【０００６】
また、ＩＣＣプロファイルを作成したプリンタをターゲットに使用するか、ディスティネーションに使用するかは不明であるから、ＩＣＣプロファイルは、ターゲットおよびディスティネーション用の変換テーブル（ＣＭＹＫ→Ｌ＊ａ＊ｂ＊およびＬ＊ａ＊ｂ＊→ＣＭＹＫ変換テーブル）を備えることが望ましく、多くのプロファイル作成アプリケーションはそのような構成をとる。上記構成のＩＣＣプロファイルを作成するには、ＣＭＹＫ信号を網羅したパッチ、例えばＩＳＯ　１２６４２が規定する９２８パッチを出力し、各パッチを測色し、ＣＭＹＫ画像信号と色度値（測色値）との関係から、ソース側およびディスティネーション側の色変換テーブルを作成する。
【０００７】
特開平５−１２７５５１号公報に記載されているように、ＩＳＯ　１２６４２のテストフォームのような、各色網点％の合計が３５０％を超えるようなパッチを良好に印刷できない機種も存在する。具体的には、感光体に供給されるトナーの量（以下「のり量」と呼ぶ）が多くなり、感光体や転写体周辺へのトナーの飛散、定着部の熱容量不足によるトナーの定着不良、記録紙が定着ローラへ巻き付く、などの不具合が発生する。これらの不具合は、単位面積当りののり量が所定量を超えたときに発生し易く、各濃度信号の最大濃度値を１００％とすると、濃度信号の和（以下「信号和」と呼ぶ）が３００％を超えると多くの機種で発生する。
【０００８】
【発明が解決しようとする課題】
ディスティネーション側のＩＣＣプロファイルを考えると、各色網点％の合計が３５０％以上の画像を形成しても色変換性能が向上するわけでもなく、視覚的に判別することはできない。また、のり量が多いトナーパッチを形成すると、定着不良、トナーの飛散、転写効率の低下などが生じることが多く、そのようなトナーパッチに基づきＩＣＣプロファイルを作成しても精度がよいＩＣＣプロファイルは得られない。
【０００９】
さらに、のり量が多い画像を出力することはトナー消費量の観点からも好ましくないので、プロファイ作成アプリケーションの作成フローは、のり量が３００％以下になるように最大色数を設定している。ソースおよびディスティネーションを両立させるため、さらに、ユーザによるのり量の設定には、のり量を３００％以下に抑える方法が望ましい。しかし、プリンタに組み込むディスティネーションプロファイルでは、のり量４００％のパッチ情報を３００％に制限して色変換テーブルを作成することになり、補間するにしても精度の問題が残る。
【００１０】
本発明は、上述の問題を個々にまたはまとめて解決するためのもので、　出力プロファイルのカラーマッチング精度を向上させることを目的とする。
【００１１】
【課題を解決するための手段】
本発明は、前記の目的を達成する一手段として、以下の構成を備える。
【００１２】
本発明にかかる画像処理装置は、複数の色材の使用量の制限を考慮した画像データに基づき、記録媒体上に色変換情報を作成するためのカラー画像を、画像形成部に形成させる形成手段と、前記カラー画像を測色する測色手段と、測色結果の色度値と、前記画像データとの関係に基づき、色変換情報を作成する作成手段とを有することを特徴とする。
【００１３】
また、複数の色材の使用量の制限を考慮した画像データに基づき、記録媒体上に色変換情報を作成するためのカラー画像を、画像形成部に形成させる形成手段と、前記カラー画像の測色結果を入力する入力手段と、前記測色結果の色度値と、前記画像データとの関係に基づき、色変換情報を作成する作成手段とを有することを特徴とする。
【００１４】
また、複数の色材の使用量の制限を考慮した画像データに基づき、記録媒体上に色変換情報を作成するためのカラー画像を、画像形成部に形成させる形成手段と、外部機器に前記画像データを供給して、前記画像データと、前記カラー画像の測色結果の色度値との関係に基づく色変換情報を前記外部機器から受信する通信手段とを有することを特徴とする。
【００１５】
本発明にかかる画像処理方法は、複数の色材の使用量の制限を考慮した画像データに基づき、記録媒体上に色変換情報を作成するためのカラー画像を、画像形成部に形成させ、前記カラー画像を測色し、測色結果の色度値と、前記画像データとの関係に基づき、色変換情報を作成することを特徴とする。
【００１６】
また、複数の色材の使用量の制限を考慮した画像データに基づき、記録媒体上に色変換情報を作成するためのカラー画像を、画像形成部に形成させ、前記カラー画像の測色結果を入力し、前記測色結果の色度値と、前記画像データとの関係に基づき、色変換情報を作成することを特徴とする。
【００１７】
また、複数の色材の使用量の制限を考慮した画像データに基づき、記録媒体上に色変換情報を作成するためのカラー画像を、画像形成部に形成させ、外部機器に前記画像データを供給して、前記画像データと、前記カラー画像の測色結果の色度値との関係に基づく色変換情報を前記外部機器から受信することを特徴とする。
【００１８】
【発明の実施の形態】
以下、本発明にかかる一実施形態の画像処理装置を図面を参照して詳細に説明する。
【００１９】
なお、下記の構成要素の相対的な配置および表示画面などは、とくに限定的に記載しない限り、本発明の範囲を、それらに限定する趣旨のものではない。
【００２０】
【第１実施形態】
以下、本発明にかかる画像処理装置の実施形態として、カラー複写機を図面を参照して詳細に説明する。
【００２１】
実施形態のカラー複写機は、トナーが定着された記録紙が排出される排紙トレイの手前にカラーセンサを内蔵し、記録紙上に形成された画像を測色し、測定した色度値に基づき色変換プロファイルを作成する機能を有する。そして、作成した色変換プロファイルを用いて、カラー複写機内の色変換処理を行う。
【００２２】
なお、優れた色再現性を実現するプロファイルとして近年市場で受け入れられているＩＣＣ　（Ｉｎｔｅｒｎａｔｉｏｎａｌ　Ｃｏｌｏｒ　Ｃｏｎｓｏｒｔｉｕｍ）プロファイルを用いる例を説明する。ＩＣＣプロファイル以外の色変換テーブルには、Ａｄｏｂｅ社が提唱するＰｏｓｔＳｃｒｉｐｔ（Ｒ）のレベル２から採用されているＣＲＤ　（Ｃｏｌｏｒ　Ｒｅｎｄｅｒｉｎｇ　Ｄｉｃｔｉｏｎａｒｙ）やＰｈｏｔｏｓｈｏｐ（Ｒ）内の色分解テーブル、墨版情報を維持するＥＦＩ社のＣｏｌｏｒＷｉｓｅ内のＣＭＹＫシミュレーションなどがあり、これらを応用することも可能である。
【００２３】
［構成］
図１はカラー複写機の概略構成を示す図である。
【００２４】
カラー複写機は、マゼンタ（Ｍ）、シアン（Ｃ）、イエロー（Ｙ）およびブラック（Ｋ）の各色画像を形成する四つの画像形成ステーションを備える。各画像形成ステーションの構成は略同一であるから、以下、マゼンタ用の画像形成ステーションの構成を説明して、他色の画像形成ステーションの説明は省略する。
【００２５】
画像形成ステーションは、像但持体である電子写真感光体（以下「感光ドラム」と呼ぶ）１ａの周囲に、帯電器、クリーナ４ａおよび現像器２ａなどを備える。感光ドラム１ａは回転自在に支持され、各感光ドラム１ａの下方、現像装置２ａとクリーナ４ａとの間には転写部が配置されている。転写部は、各画像形成ステーションに共通の転写ベルト３１、および、転写用帯電器３ａから構成される。
【００２６】
複数の給紙カセット６１または引き出し可能な手差給紙トレイ６１ａなどから供給される記録紙は、転写ベルト３１によって各画像形成ステーション下を搬送され、各感光ドラム上に形成された各色のトナー像が順次転写され、トナー像を重畳した画像が形成される。トナー像が重畳された記録紙Ｐは、転写ベルト３１から分離され、搬送ベルト６２によって定着部５に搬送される。
【００２７】
定着部５は、回転自在に支持された定着ローラ５１、定着ローラ５１に圧接しながら回転する加圧ローラ５２、潤滑剤塗布器５３およびローラクリーナ５４、５５などを備える。定着ローラ５１および加圧ローラ５２の内側にはそれぞれハロゲンランプなどのヒータ５６、５７が、定着ローラ５１および加圧ローラ５２の表面近傍にはサーミスタなどの温度センサ５８、５９が配置されている。従って、温度センサによって検出される定着ローラ５１および加圧ローラ５２の温度は温度調節器６０へ供給され、温度調節器６０がヒータ５６、５７へ加える電力を制御することで、定着ローラ５１および加圧ローラ５２の表面温度が調節される。
【００２８】
潤滑剤塗布器５３は、記録紙が定着ローラ５１と加圧ローラ５２との間を通過する際に、トナーが定着ローラ５１の表面に付着しないように、定着ローラ５１の表面にシリコンオイルを潤滑剤として塗布する。また、潤滑剤塗布器５３には、塗布するシリコンオイルの量を制御するための塗布量制御部６３が接続されている。
【００２９】
定着ローラ５１および加圧ローラ５２を駆動する図示しない駆動モータには、記録紙の搬送速度、すなわち定着ローラ５１および加圧ローラ５２の回転速度を制御する速度制御部６４が接続されている。
【００３０】
定着部５のこれらの構成により、記録紙の表面に重畳された各色のトナーは溶融され、記録紙に定着されて、記録紙上にフルカラー画像が形成される。フルカラー画像が定着された記録紙は、分離爪６８によって加圧ローラ５２から分離され、装置外へ排出される。
【００３１】
［測色］
加圧ローラ５２から分離された記録紙上の画像は、必要に応じて、排紙トレイの直前に設置されたカラーセンサ７１によって測色される。
【００３２】
図２はカラーセンサ７１周辺の構成例を示す図である。
【００３３】
カラーセンサ７１の主走査方向の解像度は１００ｄｐｉと比較的低い。その理由は、測色対象が数ｍｍ単位のカラーパッチであり、カラー複写機のスキャナのようにスキャニングした画像を再生するわけではないからである。従って、１００ｄｐｉ程度の低解像度でも充分にカラーパッチを測色可能で、６００ｄｐｉのセンサなどに比べて生産性がよく、コストを抑えることもできる。
【００３４】
カラーセンサ７１は、記録紙に赤緑青の光を照射するＲＧＢ三色のＬＥＤ群７２と、記録紙からの反射光を結像するための円柱状のレンズアレイ７３、受光センサ部（ＣＣＤ）７４、および、回路基板７５から構成されている。なお、カラーセンサ７１と記録紙との間の光路長を一定にするため記録面ガラス７６を設置して、記録面ガラス７６の下を記録紙が通過するようにしてある。
【００３５】
［カラーマッチング精度の検証］
のり量４００％の画像信号を含むＩＳＯ　１２６４２のテストフォームのＣＭＹＫカラーチャートと、最大のり量３００％の画像信号としたカラーチャート（以下「３００％カラーチャート」と呼ぶ）を用意して、カラーマッチング精度を検証した。
【００３６】
ＩＳＯ　１２６４２のテストフォームに関して詳細な説明は省略するが、３００％カラーチャートは、図３に示す格子点のカラーパッチを含む。なお、図３には色立体の下部（黒側）の格子点だけを示すが、省略した上部（白側）にも下部と同じ構成で格子点が存在する。図３に示すように、最低明度点（４Ｋ）ののり量を３００％最大に設定して、最低明度点から白点へ１３階調分の格子点を用意する。
【００３７】
図３に示す各格子点は、以下の関係をもち、信号上ではリニアな格子点になる。そしてＣＭＹが等量の七階調、並びに、黒（Ｋ）単色の七階調で、合計８８０パッチの構成になる。
【００３８】
例えば一次色のマゼンタ（Ｍ）から最低明度点（４Ｋ）へ向かう格子点は下記のようになる。
2004056271.tif 000003
【００３９】
また、二次色の青（Ｂ）から最低明度点（４Ｋ）へ向かう格子点は下記のようになる。
2004056271.tif 000004
【００４０】
なお、単色の階調数は２５６階調（０〜２５５）であり、信号値ではＣ＝１７０、Ｍ＝１７０、Ｙ＝１７０およびＫ＝２５５（合計値７６５）でのり量３００％になる。なお、単色の階調特性は、画像信号に対しのり量がリニアなるような特性を採用するため、画像信号値はのり量の換算値といえる。
【００４１】
ＩＳＯ　１２６４２テストフォームおよび３００％カラーチャートをそれぞれ出力し、カラーセンサ７１で測色して、実施形態のカラー複写機に搭載されたＩＣＣプロファイル作成ツールを用いてＩＣＣプロファイルを作成した。このときの最大色数は、カラー複写機ののり量の制限値３００％に基づく。この二つのＩＣＣプロファイルをディスティネーションとし、ターゲット（ソース）をＤＤＣＰ　（Ｄｉｒｅｃｔ　Ｄｉｇｉｔａｌ　Ｃｏｌｏｒ　Ｐｒｏｏｆｅｒ）、ＣＭＭ　（Ｃｏｌｏｒ　Ｍａｔｃｈｉｎｇ　Ｍｏｄｕｌｅ）をＡｐｐｌｅ社のＣｏｌｏｒＳｙｎｃ　２．０、色変換手法をＡｂｓｏｌｕｔｅ　Ｃｏｌｏｒｉｍｅｔｒｉｃ（相対的色域の保持）として、カラーマッチング精度を検証した。
【００４２】
つまり、ＩＳＯ　１２６４２テストフォームをＤＤＣＰで出力し、その測色結果の色度（Ｌ１ａ１ｂ１）値をターゲットとして、ＩＳＯ　１２６４２テストフォームのＣＭＹＫ信号をターゲットＩＣＣプロファイルを使って色度（Ｌ２ａ２ｂ２）値に変換する。そして、このＬ２ａ２ｂ２値を、上記の二つのディスティネーションプロファイルを用いてＣＭＹＫ値に変換して、カラー複写機に供給し、出力されるテストフォームの測色結果の色度（Ｌ３ａ３ｂ３）値を得る。
【００４３】
二つのディスティネーションプロファイルに対応する色度値をそれぞれ、Ｌ３ａ３ｂ３（４００％）およびＬ３ａ３ｂ３（３００％）として、下式により、ターゲットのＬ１ａ１ｂ１値との色差ΔＥを算出する。
ΔＥ　＝　√｛（Ｌ１　−　Ｌ３）２　＋　（ａ１　−　ａ３）２　＋　（ｂ１　−　ｂ３）２｝
【００４４】
得られた色差ΔＥに基づき、平均色差および色再現指数を求めたところ、図４に示すように、３００％カラーチャートを用いてプロファイルを作成した方がカラーマッチング精度が高いことがわかった。
【００４５】
図４の横軸は色差ΔＥ、縦軸は累積発生頻度で９２８パッチすべてで色差が発生した場合は１００％になる。また、図４の凡例中に示す平均色差は９２８パッチの平均色差、色再現指数は色差ΔＥ≦１０で発生する累積色差の関係を表す。例えば、すべてのパッチで色差ΔＥ　＝　０であれば色再現指数１００％になるが、すべてのパッチで色差ΔＥ　＞　１０の場合は色再現指数０％となる。図４では、カーブで区切られた下側の面積が、色差ΔＥ　＝　０の場合に比べて、どの程度の精度が得られるかを表す指標になる。なお、色再現指数から、平均色差ではわからない色差の発生度合い（分布）を判断することができる。
【００４６】
３００％カラーチャートの方がカラーマッチング精度が向上する理由は、のり量４００％のＩＳＯ　１２６４２テストフォームの画像信号によってカラーパッチを形成する際、制限によってのり量が３００％に抑えられるためで、（測色結果の色度情報がない）のり量３００％のカラーパッチを形成し、補間演算によってのり量４００％相当の色度値を予測してプロファイルを作成するためである。これに対して、３００％カラーチャートの場合は、補間演算に依存する部分を最小限に抑えているので、ほとんどの測色結果の色度情報をそのままプロファイルの格子点情報に用いることができる。
【００４７】
以上の検証結果は、ディスティネーションプロファイルのみを作成するのであれば、カラー複写機が保証するのり量に対応するカラーチャートを形成し、プロファイルを作成した方がカラーマッチング精度が向上することを示唆する。
【００４８】
［プロファイルの作成］
次に、上記の構成を有するカラー複写機におけるプロファイルの作成について説明する。
【００４９】
サービスマンによる部品交換時、カラーマッチング精度が要求されるジョブの前、あるいは、デザインの構想段階などで最終出力物の色味を知りたい場合など、サービスマンやユーザは操作部を操作して、カラー複写機を多次色キャリブレーション（以下「多次色ＣＡＬ」と呼ぶ）モードに設定すると、プロファイルの作成が実行される。
【００５０】
図５はプロファイルの作成を実行する画像処理部１０１の構成例を示すブロック図である。
【００５１】
多次色ＣＡＬモードへの移行指示は、操作部９１からプロファイル作成部１２２に入力される。プロファイル作成部１２２は、３００％カラーチャートを色変換せずに出力するよう指示するとともに、３００％カラーチャートのＣＭＹＫ情報をプリンタ部２０１に送る。また、カラーセンサ制御部１２３に測色を指示する。
【００５２】
電子写真プロセスを経て出力される３００％カラーチャートは、カラーセンサ７１によって測色され、測色された８８０パッチのＲＧＢデータは画像処理部１０１に入力される。ＲＧＢデータは、色変換部１２１により、カラーセンサ７１の入力プロファイルに基づきＬａｂデータに変換されて、プロファイル作成部１２２に入力される。つまり、カラーセンサ７１の入力プロファイルを用いて、入力デバイス（カラーセンサ７１）に依存するＲＧＢデータを、デバイスに依存しないＣＩＥ（国際照明委員会）　Ｌａｂデータに変換する。なお、デバイスに依存しない色空間としてＣＩＥ　１９３１　ＸＹＺ表色系を用いてもよい。
【００５３】
プロファイル作成部１２２は、出力したＣＭＹＫ情報と、入力されるＬａｂデータとの関係により、出力プロファイルを作成し、出力プロファイル格納部１１３に格納された出力プロファイル（ＩＣＣプロファイル）を更新する。
【００５４】
なお、３００％カラーチャートは、のり量の制限を加味した、カラー複写機が出力可能な色再現域を網羅する色パッチに対応するＣＭＹＫ情報を含み、各ＣＭＹＫ情報（色信号値）と、測色されたＬａｂ値との関係から色変換テーブルを作成する。つまり、入力される色信号（Ｌａｂデータ）に基づき、どのようなＣＭＹＫ情報を出力すればよいかを示す色変換テーブルを作成する。
【００５５】
［ＩＣＣプロファイルの構造］
図６はＩＣＣプロファイルの構造を示す図で、ヘッダ３９およびタグテーブル４０の二つの基本要素を含む。ヘッダ３９は、ＩＣＣプロファイルに従い入力画像データを処理するために、ＣｏｌｏｒＳｙｎｃ（Ａｐｐｌｅ社の色変換エンジン）などのＣＭＭ　（Ｃｏｌｏｒ　Ｍａｎａｇｅｍｅｎｔ　Ｍｏｄｕｌｅ）によって使用される情報を含む。
【００５６】
ＩＣＣプロファイルには、通常の色変換時に使用されるリカードパブリックタグ（ｒｅｑｕｉｒｅｄ　ｐｕｂｌｉｃ　ｔａｇ）、付加変換を行うために使用することができるオプショナルパブリックタグ（ｏｐｔｉｏｎａｌ　ｐｕｂｌｉｃ　ｔａｇ）、および、個々の開発者がそのＩＣＣプロファイルに専用の値を追加するためにカスタマイズ可能なプライベートタグを含んでよい。ハードコピー用の出力色変換を行うには、プロファイル記述タグ、デバイスメーカタグ、デバイスモデル名タグ、ＡｔｏＢｘタグ、ＢｔｏＡｘタグ、ガマット（ｇａｍｕｔ）タグ、ＸＹＺメディア白色点タグ（ＸＹＺ　ｍｅｄｉｕｍ　ｗｈｉｔｅ　ｐｏｉｎｔ　ｔａｇ）、測定タグ、並びに、著作権タグなどが必要である。ＡｔｏＢｘタグは、ＩＣＣ　ｌｕｔ８Ｔｙｐｅ、または、ＩＣＣ　ｌｕｔ１６Ｔｙｐｅ構造の何れかを有する。ＩＣＣ　ｌｕｔ８Ｔｙｐｅ、または、ＩＣＣ　ｌｕｔ１６Ｔｙｐｅ構造の汎用モデルは次のとおりである。
マトリクス　→　一次元ＬＵＴ　→　多次元ＬＵＴ　→　一次元ＬＵＴ
【００５７】
タグがｌｕｔ８Ｔｙｐｅ構造の場合、入力および出力ＬＵＴ、並びに、カラーＬＵＴは８ビット符号なし値のアレイである。各入力テーブルは、１バイト整数から構成される。また、入力テーブルのエントリは、それぞれ０から２５５の範囲に適切に標準化されている。
【００５８】
出力デバイス用のＩＣＣプロファイルに含まれるＡｔｏＢｘタグは、ＣＭＹＫ色空間から他の色空間へ変換するための色変換テーブルを含み、所謂ソース（ターゲットともいう）プロファイルとして使用される。
【００５９】
一方、出力デバイス用のＢｔｏＡｘタグは色変換が逆になり、Ｌａｂ色空間からＣＭＹＫ色空間に変換するための情報を含み、主に、ディスティネーションプロファイルとして使用される際に参照される。
【００６０】
ＡｔｏＢ０およびＢｔｏＡ０のタグは、知覚的（Ｐｅｒｃｅｐｔｕａｌ）な色変換を行うためのタグで、主に、階調（グラデーション）再現を重視する写真画像に適した色変換を行う、明度保存を前提にしたカラーマッチング用である。
【００６１】
ＡｔｏＢ１およびＢｔｏＡ１のタグは、色差を最小とする色変換を行うためのタグで、出力デバイスの色再現域がターゲットのそれよりもすべての領域で広い場合、並びに、高彩度領域に画像が存在しないときなどに有効である。また、社章などのロゴマークの色再現には、色の規定が厳しいことから、このカラーマッチングが採用される。
【００６２】
ＡｔｏＢ２およびＢｔｏＡ２のタグは、彩度を保存する色変換を行うためのタグで、階調再現には向かないが、主に、ビジネスグラフィック画像のカラーマッチングに使用される。
【００６３】
ＡｔｏＢ０タグと同じフォーマットを有するガマットタグには、入力チャネル（Ｌ＊ａ＊ｂ＊）に対して、その出力デバイスが色を再現可能か否かが記述されている。
【００６４】
図７はＩＣＣプロファイルの詳細例を示す図で、ヘッダ３９およびタグテーブル４０に下記の項目が記述される。
Ｓｉｚｅ：プロファイルのサイズを定義する。
ＣＭＭ　Ｔｙｐｅ：複数のＣＭＭを組み込んだコンピュータが、どのＣＭＭをデフォルトとして使用するかを記述する。例えば「Ａｐｐｌ」または「ＡＣＭＳ」は上述したＣｏｌｏｒＳｙｎｃを、「ＫＣＭＳ」はＫｏｄａｋＣＭＳ（Ｋｏｄａｋ社の色変換エンジン）を意味する。
Ｖｅｒｓｉｏｎ：　プロファイルのバージョンを示す。
Ｐｒｏｆｉｌｅ　Ｃｌａｓ：　プロファイルの種類を定義する。パラメータは下記の何れか一つであればよい。
ｏｕｔｐｕｔ　…　プリンタなどの出力デバイス
ｉｎｐｕｔ　…　スキャナやディジタルカメラなどの入力デバイス
ｄｉｓｐｌａｙ　…　ＣＲＴや液晶などの表示デバイス
ｄｅｖｉｃｅ　ｌｉｎｋ　…　複数のプロファイルの組み合わせ構造
ｃｏｌｏｒ　ｓｐａｃｅ　ｃｏｎｖｅｒｓｉｏｎ　…　非デバイス型プロファイル間、例えばＬａｂ／ＸＹＺなどの色空間変換
ａｂｓｔｒａｃｔ　…　ＰＣＳ（Ｐｒｏｆｉｌｅ　Ｃｏｎｎｅｃｔｉｏｎ　Ｓｐａｃｅ）間でカラーデータを変換するための固有の方法
Ｃｏｌｏｒ　Ｓｐａｃｅ：プロファイルに基づきカラー画像データを変換する際のカラーフォーマットを定義し、ＲＧＢ、ＸＹＺ、ＧＲＡＹ（グレイスケール）、ＣＭＹ、Ｌｕｖ、ＨＳＶ、ＣＭＹＫ、ＹＣｂｒ、ＨＬＳ、ＬａｂおよびＹｘｙの何れか一つであればよい。
Ｃｏｎｎｅｃｔｉｏｎ　Ｓｐａｃｅ：プロファイル結合空間を定義し、ＬａｂまたはＸＹＺの何れかであればよい。
Ｃｒｅａｔｉｏｎ　Ｄａｔｅ：プロファイルの作成日時を定義する。
ＣＳ２　Ｓｉｇｎａｔｕｒｅ：プロファイルのファイルシグネチャを定義し、プロファイルを使用するデバイスのオペレーティングシステム（ＯＳ）がアイコンを作成するために使用する。
Ｐｒｉｍ　ｐｌａｔｆｏｒｍ：プロファイルが作成されたプラットフォームまたはＯＳを定義する。そのパラメータは下記の何れかであればよい。
Ａｐｐｌ　…　ＡｐｐｌｅのＯＳ
ＭＳＦＴ　…　ＭｉｃｒｏｓｏｆｔのＯＳ
ＳＧＩ　…　Ｓｉｌｉｃｏｎ　Ｇｒａｐｈｉｃｓ
ＳＵＮＷ　…　Ｓｕｎ
ＴＧＮＴ　…　Ｔａｌｉｇｅｎｔ
Ｆｌａｇｓ：ＣＭＭのためのヒント情報が含まれる。「ｅｍｂｅｄｄｅｄ／ｎｏｔ　ｅｍｂｅｄｄｅｄ」を示せば、画像ファイルなどに埋め込まれたプロファイル／独立したファイルを表し、「ｅｍｂｅｄｄｅｄ　ｏｎｌｙ／ｕｓｅ　ａｎｙｗｈｅｒｅ」を示せば、埋め込まれた状態でのみ使用可能／切り離しても使用可能を表す。
ｄｅｖｉｃｅＭａｎｕｆａｃｔｕｒｅｒ：プロファイルの作成者を記述する。
ｄｅｖｉｃｅＭｏｄｅｌ：プロファイルが使用されるべきデバイスのモデル番号または名称を定義する。なお、ｄｅｖｉｃｅＭｏｄｅｌのパラメータは、ＩＣＣ、ＡｐｐｌｅのＣｏｌｏｒＳｙｎｃおよびＭｉｃｒｏｓｏｆｔのＩＣＭの規定に準拠する必要がある。とくに、モデル番号または名称は「Ａ」から「Ｚ」までの文字（大文字のみ）および「０」から「９」の文字を使用する４バイトのＡＳＣＩＩ文字列でなければならない。
ｄｅｖｉｃｅＡｔｔｒｉｂｕｔｅｓ：プロファイル作成時の透過性や表面の光沢性を記述する。「Ｒｅｆｌｅｃｔｉｖｅ／Ｔｒａｎｓｐａｒｅｎｃｙ」（反射色／透過色）、「Ｇｌｏｓｓｙ／Ｍａｔｔｅ」（光沢あり／艶消し）などが記述される。
Ｉｎｔｅｎｔ：プロファイルの設計趣旨（ｉｎｔｅｎｔ）、つまり知覚的（ｐｅｒｃｅｐｔｕａｌ）、色差最小（ｒｅｌａｔｉｖｅ　ｃｏｌｏｒｉｍｅｔｒｉｃまたはａｂｓｏｌｕｔｅ　ｃｏｌｏｒｉｍｅｔｒｉｃ）、彩度重視（ｓａｔｕｒａｔｉｏｎ）を定義する。
Ｗｈｉｔｅ　ＸＹＺ：ＰＣＳのＸＹＺ色度値を定義し、白色ＸＹＺを正規化した値が記述
される。
【００６５】
このようにヘッダ３９は、ヘッダに格納可能なすべての情報を隈なく含むリストではなく、単に、ヘッダに格納可能な情報の一例を示しているのに過ぎない。このようなＩＣＣプロファイルを作成するためには、ＩＳＯ　１２６４２のテストフォームなど、ＣＭＹＫ信号を網羅した画像をプリンタに出力させる必要がある。
【００６６】
なお、実施形態のカラー複写機に色変換情報を組み込む場合、とくにＩＣＣに準拠したファイル形式でなくても構わない。測色条件、作成者、作成日時および白色点情報などは不要または既知の情報で、カラー複写機内部における色変換には必要ない。より詳細には、カラー複写機内部の色変換に必要なタグはＢｔｏＡ０、ＢｔｏＡ１およびＢｔｏＡ２タグだけである。一方、コンピュータ機器（ＰＣ）など、外部装置からプロファイルの作成やダウンロードを要請された場合は、上記のヘッダ３９およびタグテーブル４０を加えたＩＣＣ準拠のプロファイルとして送信する。このような構成にすれば、カラー複写機内部の色変換用のプロファイルを更新する処理の簡略化、処理時間の短縮が期待される。
【００６７】
［多次色ＣＡＬ］
図８は多次色ＣＡＬを説明するフローチャートで、多次色ＣＡＬモードに移行したカラー複写機が実行する処理である。
【００６８】
多次色ＣＡＬモードに移行したカラー複写機は、表面電位センサによって検出される感光ドラムの感光面の帯電状態と、フォトセンサによって検出される感光ドラムに形成されたトナーパッチ像の濃度とに基づきコントラスト電位を決定し、最大濃度を決定（保証）するＤｍａｘ制御を行う。その後、感光ドラムにハーフトーンのトナーパッチを形成して、単色の階調を補正するハーフトーン補正を行い、階調補正用のガンマ補正テーブルを更新する（Ｓ１）。
【００６９】
次に、図示しないＲＯＭなどに保持されている、のり量の制限に応じた３００％カラーチャートを、ガンマ補正テーブルを用いて階調補正し、電子写真プロセスによって記録紙上に形成する（Ｓ２）。そして、カラーセンサ７１によって３００％カラーチャートの各カラーパッチを読み取り、色変換部１２１によって各カラーパッチの色度情報を得る（Ｓ３）。
【００７０】
次に、３００％カラーチャートのＣＭＹＫ信号と、測色結果の色度情報（Ｌａｂ値）との関係から出力プロファイル用の色変換テーブルを作成し（Ｓ４）、出力プロファイル格納部１１３に格納された出力プロファイルを更新する（Ｓ５）。
【００７１】
もし、多次色ＣＡＬが外部のコンピュータ機器などから要求され、ＩＣＣプロファイルのアップロードが要求された場合は、ステップＳ６の判断に基づき、ステップＳ４で作成した色変換テーブルにヘッダ３９およびタグテーブル４０を追加してＩＣＣプロファイル化し（Ｓ７）、そのＩＣＣプロファイルをアップロードする（Ｓ８）。
【００７２】
［色変換処理］
次に、カラー画像を出力する際の色変換処理を図５を参照して説明する。なお、図５は、本実施形態に関わる構成を説明するための図で、全ての構成を網羅しているわけではない。
【００７３】
画像処理部１０１は、インタフェイス（Ｉ／Ｆ）９２を介して、スキャナからＲＧＢデータが入力される場合、ＲＧＢデータを入力色変換部１１１へ送る。入力色変換部１１１は、保持するスキャナのプロファイル（入力プロファイル）に基づきＲＧＢデータをＬａｂデータに変換し、ＣＭＭ　１１２に入力する。画像処理部１０１は、出力プロファイル格納部１１３に格納された出力プロファイルに記述された色変換手法からＰｅｒｃｅｐｔｕａｌと呼ばれる明度保存型の色変換手法を選択して、ＣＭＭ　１１２にＬａｂデータをＣＭＹＫデータに変換させる。ｓＲＧＢなどのＲＧＢ色空間と、カラー複写機のＣＭＹＫやＪａｐａｎＣｏｌｏｒ（印刷標準）などのＣＭＹＫ色空間とは色再現範囲（ｃｏｌｏｒ　ｇａｍｕｔ）が著しく異なるため、通常、視覚特性を考慮して、階調性が保持され、写真画像に適する明度保存型の色変換を行う。
【００７４】
一方、外部のコンピュータ機器などからＬａｂデータが入力される場合は、忠実な色再現が望まれる場合が多い。この場合、画像処理部１０１は、入力されるＬａｂデータをＣＭＭ　１１２へ送り、Ｃｏｌｏｒｉｍｅｔｒｉｃと呼ばれる色度保存型の色変換手法を選択して、ＣＭＭ　１１２にＬａｂデータをＣＭＹＫデータに変換させる。
【００７５】
また、外部のコンピュータ機器などからＣＭＹＫデータが入力される場合は、ユーザが任意の色変換を行った可能性が高い。そこで、画像処理部１０１は、新たな色変換を施さずに、入力されるＣＭＹＫデータをプリンタ部２０１へ送る。
【００７６】
勿論、色変換手法は、操作部９１や外部のコンピュータ機器などの指示に基づき変更することが可能である。また、外部のスキャナからネットワークを介してＲＧＢデータが入力される場合は、そのスキャナから入力プロファイルをダウンロードして入力色変換部１１１に設定することが好ましい。
【００７７】
このように、カラーチャートを出力し、そのカラーパッチを測色して出力プロファイルを作成する機能をもつカラー複写機により、プロファイル作成用の機材（ソフトウェアおよび測色器）がなくても、容易に出力プロファイルを作成することができる。加えて、カラーチャートは、カラー複写機ののり量の制限に適合した状態で出力されるので、そのカラーパッチの測色結果（色度値）から作成される出力プロファイルのカラーマッチング精度を向上することができる。
【００７８】
なお、多次色ＣＡＬは、ユーザなどの指示に応じて行えばよいが、所定のタイミングで自動実行するようにしてもよい。つまり、カラー複写機の色再現性が不安定になる状況（温度・湿度の変化など）を検知して、そのタイミングで多次色ＣＡＬを実行すればよい。色再現性が低下する要因として、各色のトナー像を形成する四つのステーションのうち、一部のステーションのユニットを交換するメンテナンス、長期間電源がオフされた後の電源オン時、現像剤が耐久劣化したときなども考えられる。そこで、例えば「電源オン時」「電源オンから１００枚出力した後」「装置の前扉が開閉された時」「トータル枚数が４００００枚を経過した後は１０００枚ごと」などの実行タイミングが考えられるが、この四つのタイミングに限定されるわけではない。
【００７９】
【第２実施形態】
以下、本発明にかかる第２実施形態の画像処理装置を説明する。なお、第２実施形態において、第１実施形態と略同様の構成については、同一符号を付して、その詳細説明を省略する。
【００８０】
第２実施形態は、市販の色度計を使って、カラー複写機のコスト削減およびカラーマッチング精度のより高精度化を達成しようとするものである。つまり、第２実施形態は、カラー複写機から第１実施形態で説明した測色機能を削除し、市販の測色器から色度情報を入力してプロファイルを作成する。
【００８１】
図９は第２実施形態の画像処理部１０１の構成例を示すブロック図である。
【００８２】
カラーパッチの色度情報は、外部の測色器（色度計）９４から例えばＲＳ２３２Ｃのような汎用インタフェイスを介して色度入力部１２４に入力される。プロファイル作成部１２２は、色度入力部１２４に入力された色度情報に基づき、出力プロファイルまたはダウンロード用のＩＣＣプロファイルを作成する。
【００８３】
市販の測色器を用いる背景として、高いカラーマッチング精度を要求するユーザは、ＩＣＣプロファイルなどを独自に作成し、ＩＣＣプロファイルをプリンタのコントローラやコンピュータ機器に組み込んで色変換した画像をカラー複写機に形成させる。このようなユーザは、高精度の測色器を所有していて、カラー複写機が測色機能を有する必要はなく、測色機能を削除したより低コストの製品を提供する方が望ましい。さらに、測色器にも個体差があるため、ターゲットの色を測色した機器の測色値を用いてプロファイルを作成する方が、カラーマッチング精度が向上する。
【００８４】
また、市販の測色器は分光反射率からＬａｂデータを算出するので、図５の色変換部１２１によってＲＧＢデータからダイレクトマッピングによって得られるＬａｂデータよりも精度が高い。なお、分光反射率データからＬ＊ａ＊ｂ＊データを算出する方法は、ＣＩＥで規定されていて、以下のとおりである。
（１）　試料の分光反射率Ｒ（λ）を求める（３８０〜７８０ｎｍ）。
（２）　等色関数ｘ（λ）、ｙ（λ）およびｚ（λ）、並びに、標準光分光分布ＳＤ５０（λ）を用意する。
（３）　各波長の計算を行い、それらを積算する。
ΣＸ（λ）　＝　Σ｛Ｒ（λ）×ＳＤ５０（λ）×ｘ（λ）｝
ΣＹ（λ）　＝　Σ｛Ｒ（λ）×ＳＤ５０（λ）×ｙ（λ）｝
ΣＺ（λ）　＝　Σ｛Ｒ（λ）×ＳＤ５０（λ）×ｚ（λ）｝
積算範囲は３８０〜７８０ｎｍ
（４）　各波長の等色関数ｙ（λ）と標準光分光分布ＳＤ５０（λ）との積を積算する。
Σ｛ＳＤ５０（λ）×ｙ（λ）｝
積算範囲は３８０〜７８０ｎｍ
（５）　ＸＹＺ値を算出する。
Ｘ　＝　１００・Σ｛ＳＤ５０（λ）×ｙ（λ）｝／ΣＸ（λ）
Ｙ　＝　１００・Σ｛ＳＤ５０（λ）×ｙ（λ）｝／ΣＹ（λ）
Ｚ　＝　１００・Σ｛ＳＤ５０（λ）×ｙ（λ）｝／ΣＺ（λ）
（６）　Ｌ＊ａ＊ｂ＊データに変換する。
Ｌ＊　＝　１１６・（Ｙ／Ｙｎ）１／３　−　１６
ａ＊　＝　５００・｛（Ｘ／Ｘｎ）１／３　−　（Ｙ／Ｙｎ）１／３｝
ｂ＊　＝　２００・｛（Ｙ／Ｙｎ）１／３　−　（Ｚ／Ｚｎ）１／３｝
ここで、Ｘｎ、ＹｎおよびＺｎは標準光三刺激値
Ｙ／Ｙｎ　＞　０．００８８５６の場合は
（Ｘ／Ｘｎ）１／３　＝　７．７８（Ｘ／Ｘｎ）１／３　＋　１６／１１６
（Ｙ／Ｙｎ）１／３　＝　７．７８（Ｙ／Ｙｎ）１／３　＋　１６／１１６
（Ｚ／Ｚｎ）１／３　＝　７．７８（Ｚ／Ｚｎ）１／３　＋　１６／１１６
【００８５】
図１０は第２実施形態の多次色ＣＡＬを説明するフローチャートで、多次色ＣＡＬモードに移行したカラー複写機が実行する処理である。
【００８６】
第１実施形態と同様に、ステップＳ２で３００％カラーチャートを出力した後、色度計９４から色度入力部１２４へ各カラーパッチの色度情報（Ｌａｂ値）が入力されるのを待つ（Ｓ１１）。そして、色度情報が入力されると、第１実施形態と同様に、ステップＳ４からＳ８の処理を行う。
【００８７】
なお、測色器は、各カラーパッチの色度情報を出力できるものであれば、自動走査型でも、ハンディタイプ、Ｘ−Ｙテーブル式自動測色器でもかまわない。
【００８８】
【第３実施形態】
以下、本発明にかかる第３実施形態の画像処理装置を説明する。なお、第３実施形態において、第１実施形態と略同様の構成については、同一符号を付して、その詳細説明を省略する。
【００８９】
第３実施形態は、市販の測色器を使ってコストの削減および高精度化を達成しようとする第２実施形態を継承して、さらに、プロファイルの作成を外部のコンピュータ機器などに任せるものである。
【００９０】
図１１は第３実施形態の画像処理部１０１の構成例を示すブロック図である。
【００９１】
プロファイル制御部１２５は、第１、第２実施形態のプロファイル作成部１２２が担当した、のり量の制限に基づく３００％カラーチャートの出力、並びに、外部のコンピュータ機器からＩ／Ｆ　９３を介してＩＣＣプロファイルを受信して、出力プロファイル格納部１１３に格納された出力プロファイルを更新する機能などを担当する。また、３００％カラーチャートのＣＭＹＫデータをＩ／Ｆ　９３を介して外部の機器に送信する機能も備える。
【００９２】
外部のコンピュータ機器などを利用してプロファイルを作成する背景は、第１、第２実施形態のカラー複写機は、多次色ＣＡＬを実行中、３００％カラーチャートの出力、測色およびプロファイルの作成演算などにある程度の時間（例えば数分間）がかかり、この間、他のクライアントの画像出力に応じることができない。そこで、測色およびプロファイルの作成演算を外部のコンピュータ機器に任せて、カラー複写機が多次色ＣＡＬに専有される時間を短縮することができる。
【００９３】
図１２は第３実施形態の多次色ＣＡＬを説明するフローチャートで、多次色ＣＡＬモードに移行したカラー複写機が実行する処理である。
【００９４】
第１実施形態と同様に、ステップＳ２で３００％カラーチャートを出力した後、外部のコンピュータ機器からＩＣＣプロファイルがダウンロードされるのを待つ（Ｓ２１）。そして、ＩＣＣプロファイルがダウンロードされると、ステップＳ５で出力プロファイル格納部１１３に格納された出力プロファイルを更新する。なお、ＩＣＣプロファイルのダウンロードを待つ間、カラー複写機は通常のスキャン、プリントおよび複写動作を実行することができ、もし、ダウンロードが終了する前にそれら動作を開始した場合、それらの動作が終了した後、出力プロファイルの更新を行う。
【００９５】
一方、プロファイル作成用のアプリケーションがインストールされた外部のコンピュータ機器は、色度計から各カラーパッチの色度情報（Ｌａｂ値）が入力されると（Ｓ２２）、カラー複写機から３００％カラーチャートのＣＭＹＫデータを取得し（Ｓ２３）、ディスティネーション側の色変換情報が記述されたＩＣＣプロファイルを作成する（Ｓ２４）。このようにして作成されたＩＣＣプロファイルは、コンピュータ機器などにおいてカラーシミュレーションに利用可能であり、カラー複写機の色変換プロファイルとしての利用も可能である。そこで、コンピュータ機器は、作成したＩＣＣプロファイルをカラー複写機にダウンロードする（Ｓ２５）。
【００９６】
なお、３００％カラーチャートは、アプリケーションのインストール内容に含めてもよい。その場合、カラー複写機はプロファイルのアップロードのみに対応する。
【００９７】
【変形例】
第１実施形態ではカラーパッチを測色するカラーセンサを用いてプロファイルを自動的に作成する例を、第２実施形態は外部の測色器を利用してより精度の高いプロファイルを作成する例を、第３実施形態では外部のコンピュータ機器などを利用してプロファイルを作成する例を説明した。さらに、例えば、第１実施形態のカラーパッチセンサを改良して分光反射率から色度情報を得るようにしてもよいし、第１実施形態においてプロファイルを作成する機能だけを外部のコンピュータ機器に移して、色度情報をカラー複写機からコンピュータ装置へ送信して、プロファイルを作成させてもよい。
【００９８】
さらに、上記の各実施形態で説明したプロファイルは、ディスティネーション側（ＢｔｏＡｘ）タグのみに３００％カラーチャートの測色結果を反映させるものであるが、ＡｔｏＢｘタグには予めカラー複写機のメーカなどから供給されるプロファイルのデータを記載し、測色結果に基づく色変換テーブルはリカードパブリックダグとしてもよい。このような構成にした背景は、ＡｔｏＢｘタグにはＣＭＹＫ→Ｌａｂ情報があり、補間も含めて４００％の全てのＣＭＹＫ信号に対応しなければならない。上記実施形態の３００％カラーチャートでは不足する組み合せがあり、ＡｔｏＢｘタグを作成できないためである。
【００９９】
また、上記では、のり量と画像信号との関係がリニアである場合を想定して説明したが、プリンタののり量と画像信号との関係がリニアではない場合にも対応可能である。例えば、画像信号に対するのり量の換算テーブルを各色成分ごとに用意し、あるトナーののり量に対し、画像信号がどのようなるかを示すテーブルを介すことで、のり量と画像信号との関係をリニアにして最大のり量の計算を行えばよい。例えば、画像信号に対するのり量の換算テーブルを単色ごとに用意し、最大許容のり量が１．５ｍｇ／ｃｍ２のとき、画像信号は３２０％（のり量リニア時は３００％）となるといった関係を導くことができる。
【０１００】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【０１０１】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１０２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１０３】
本発明を上記記憶媒体に適用する場合、その記憶媒体には、先に説明したフローチャートに対応するプログラムコードが格納されることになる。
【０１０４】
【発明の効果】
以上説明したように、本発明によれば、出力プロファイルのカラーマッチング精度を向上させることができる。
【図面の簡単な説明】
【図１】カラー複写機の概略構成を示す図、
【図２】カラーセンサ周辺の構成例を示す図、
【図３】格子点とカラーパッチとの関係を説明する図、
【図４】カラーマッチング精度の検証結果を示す図、
【図５】プロファイルの作成を実行する画像処理部の構成例を示すブロック図、
【図６】ＩＣＣプロファイルの構造を示す図、
【図７】ＩＣＣプロファイルの詳細例を示す図、
【図８】多次色ＣＡＬを説明するフローチャート、
【図９】第２実施形態の画像処理部の構成例を示すブロック図、
【図１０】多次色ＣＡＬを説明するフローチャート、
【図１１】第３実施形態の画像処理部の構成例を示すブロック図、
【図１２】多次色ＣＡＬを説明するフローチャートである。
【図１】
2004056271.tif 000005
【図２】
2004056271.tif 000006
【図３】
2004056271.tif 000007
【図４】
2004056271.tif 000008
【図５】
2004056271.tif 000009
【図６】
2004056271.tif 000010
【図７】
2004056271.tif 000011
【図８】
2004056271.tif 000012
【図９】
2004056271.tif 000013
【図１０】
2004056271.tif 000014
【図１１】
2004056271.tif 000015
【図１２】
2004056271.tif 000016